(57)【特許請求の範囲】
【請求項１】
空気流量検出器と、
前記空気流量検出器の出力信号に基づきカットオフ周波数を変化させるフィルタと、
前記フィルタを介した出力を波形演算する波形演算部と、
前記波形演算部を介した出力と前記空気流量検出器の出力を加算する加算部と、
前記空気流量検出器の出力信号の平均値、中央値、振幅、最大値、最小値、最大値と最小値の和、最大値と最小値の差のいずれかを検出する代表値検出手段と、を備え、
前記フィルタは、前記代表値検出手段の出力する値に基づき前記カットオフ周波数が変化し、
前記空気流量検出器の出力と、前記フィルタを介した出力と、に基づいて空気流量信号を出力する空気流量測定装置
【請求項２】
前記フィルタは複数あり、
前記波形演算手段は、
前記複数のフィルタからの信号が入力されており、
前記複数の入力された信号の波形演算をする請求項１に記載の空気流量測定装置
【請求項３】
前記代表値検出手段の検出結果に応じた前記フィルタの特性を調整する調整量を出力するマップと、を備える請求項２に記載の空気流量測定装置
【請求項４】
前記フィルタは、前記空気流量検出器の出力信号の脈動振幅に応じてカットオフ周波数を変化させている請求項１に記載の空気流量測定装置
【請求項５】
前記空気流量検出器の出力信号の最大値を検出する最大値検出器と、
前記空気流量検出器の出力信号の最小値を検出する最小値検出器と、を備え、
前記空気流量検出器の出力信号と前記最大値検出器の出力信号の差が所定の値よりも大
きく、且つ、前記空気流量検出器の出力信号と前記最小値検出器の出力信号の差が所定の
値よりも大きい場合には、前記出力装置の出力信号を前記空気流量検出器の出力信号と同
一にする請求項１に記載の空気流量測定装置
【請求項６】
前記空気流量検出器の出力信号の最大値を検出する最大値検出器と、
前記空気流量検出器の出力信号の最小値を検出する最小値検出器と、を備え、
前記空気流量検出器の出力信号と前記最大値検出器の出力信号の差が所定の値よりも小さく、且つ、前記空気流量検出器の出力信号と前記最小値検出器の出力信号の差が所定の値よりも小さい場合には前記出力装置の出力信号にローパスフィルタ処理を施すことを特
徴とする請求項１に記載の空気流量測定装置
【請求項７】
前記フィルタは、前記空気流量検出器の出力信号の複数の周波数信号に対して各周波数
の補正量のベクトル和を求める請求項１に記載の空気流量測定装置
【請求項８】
前記代表値検出手段はさらに、増幅率とオフセット値を出力し、
前記増幅率と前記オフセット値に基づいて前記空気流量信号を出力する請求項１から３のいずれか一つに記載の空気流量測定装置
【発明の詳細な説明】
【技術分野】
【０００１】
本発明は空気流量検出器の出力信号に応じて空気流量信号を出力する空気流量測定装置に係り、特に、脈動によって生じる脈動誤差を低減できる空気流量測定装置に関する。
【背景技術】
【０００２】
空気流量測定装置において脈動誤差を低減する方法として、例えば特許文献１に記載された方法がある。特許文献１によれば、空気流量検出器からの信号に基づいて平均処理部で平均値を求め、高周波分析部では高速フーリエ変換を用いて周波数と脈動振幅を求め、これらから得られた平均値、周波数、脈動振幅から補正量を算出し、空気流量検出器からの信号の脈動によって生じる脈動誤差を補正している。
【先行技術文献】
【特許文献】
【０００３】
【特許文献１】特開２０１２−１１２７１６号公報
【発明の概要】
【発明が解決しようとする課題】
【０００４】
特許文献１の技術では高周波分析部に高速フーリエ変換を使用している。高速フーリエ変換において、所望の周波数分析範囲と分解能を得ようとすると、所定の長さの観測時間とサンプリング周波数を必要とし、演算量も周波数分析範囲と分解能に応じて指数的に増加する。この為、高速フーリエ変換の結果が出力されるまでには所定の観測時間と所定の演算時間を必要とするので補正量の算出までに長時間を要してしまい脈動状態の変化に追従できない。つまり、特許文献１の技術では、脈動状態の変化に対して検討の余地が残されている。
【０００５】
本発明は上記事情に鑑みてなされたものであり，その目的は、脈動状態の変化に高速に追従できる脈動誤差補正処理を有する空気流量測定装置を提供することにある。
【課題を解決するための手段】
【０００６】
上記課題を解決するためには、前記空気流量検出器の出力信号の代表値に応じて特性の変化するフィルタの出力信号を波形演算し、波形演算した出力に基づいて空気流量信号を出力することにより達成される。
【発明の効果】
【０００７】
本発明によれば、脈動状態の変化に高速に追従できる脈動誤差補正処理を有する空気流量測定装置を提供することが可能となる。
【図面の簡単な説明】
【０００８】
【図１】第１の実施例の空気流量測定装置の構成を示す図
【図２】ＬＰＦ（ローパスフィルタ）４の構成を示す図
【図３】空気流量測定装置１の吸気管への配置を示す図
【図４】各部の動作波形を示す図
【図５】補正量の脈動周波数依存性を示す図
【図６】第２の実施例の空気流量測定装置の構成を示す図
【図７】各部の動作波形を示す図
【図８】補正量の脈動周波数依存性を示す図
【図９】第３の実施例の空気流量測定装置の構成を示す図
【図１０】ＬＰＦ４０の周波数特性を示す図
【図１１】補正量の脈動周波数依存性を示す図
【図１２】第４の実施例の空気流量測定装置の構成を示す図
【図１３】脈動判定器４８の構成を示す図
【図１４】最大値検出器３３と最小検出器３４の出力波形を示す図
【図１５】各種状態でのＶｓｅｎ−ＶｍａｘおよびＶｓｅｎ−Ｖｍｉｎを示す図
【図１６】第５の実施例の空気流量測定装置の構成を示す図
【図１７】第６の実施例の空気流量測定装置の構成を示す図
【図１８】補正量の脈動周波数依存性を示す図
【図１９】第７の実施例の空気流量測定装置の構成を示す図
【図２０】空気流量測定装置１の吸気管への配置を示す図
【発明を実施するための形態】
【０００９】
以下，本発明の実施の形態について，図面を参照して説明する。
【実施例１】
【００１０】
まず，本発明の第１の実施例である空気流量測定装置を図１から図５を用いて説明する。
【００１１】
本実施例の空気流量測定装置１は、測定する空気流量に応じた出力信号Ｖｓｅｎを発生させる空気流量検出器２と、出力信号Ｖｓｅｎから脈動振幅Ｖｐを検出する振幅検出器３と、脈動振幅Ｖｐの値に応じてカットオフ周波数が変化するローパスフィルタ（以下、ＬＰＦ）４と、ＬＰＦ４の出力信号Ｖｌｐｆと出力信号Ｖｓｅｎの波形演算をする波形演算器５と、を備える。波形演算器５は、乗算器６、７と、加算器８と、条件判定処理９を備える。また、図２に示す様に、ＬＰＦ４は減算器１０と、乗算器１１と、加算器１２と、遅延素子１３とを備えている。乗算器１１のゲインを脈動振幅Ｖｐにより変化させることで、ＬＰＦ４のカットオフ周波数が脈動振幅Ｖｐに応じて変化する。なお、空気流量測定装置１の出力信号Ｖｓｅｎには脈動によって生じる脈動誤差があり、この脈動誤差は平均流量、脈動振幅、脈動周波数などに影響される。
【００１２】
次に、図３を用いて、空気流量測定装置１の吸気管への配置を説明する。吸気管１４には空気流が流入し、この吸気管１４に空気流量測定装置１が取り付けられている。空気流量測定装置１は、バイパス通路１６と、バイパス通路１６内に配置された流量検出器２と、流量検出器２からの信号を処理する信号処理回路１７から構成される。また、空気流量測定装置１からの流量信号を受け取り、各種制御を行うエンジン制御ユニット１９が配置される。
【００１３】
次に、図４，５を用い空気流量測定装置１の動作を説明する。空気量検出器２の出力信号Ｖｓｅｎが、図４に示すような脈動波形となる場合、ＬＰＦ４の出力信号Ｖｌｐｆは出力信号Ｖｓｅｎの周波数とＬＰＦ４のカットオフ周波数に応じて振幅が減少する。ここで、出力信号Ｖｓｅｎと出力信号Ｖｌｐｆは波形演算器５により波形演算され、ｋ＝１の場合には図４に示す空気流量測定装置１の出力信号Ｖｏｕｔになり、波形の上半分が間延びした様な波形になる。この結果、出力信号Ｖｏｕｔの平均値はプラス方向に変化し、このプラス方向の変化により空気流量検出器２の脈動による誤差を補正して空気流量測定装置１の出力を得る。この時、補正量は図５に示す様に脈動周波数とＬＰＦ４のカットオフ周波数ｆｃで決まり、ＬＰＦ４のカットオフ周波数ｆｃを高くすると補正量は減り、ＬＰＦ４のカットオフ周波数ｆｃを低くすると補正量は増加する。つまり、出力信号Ｖｓｅｎから脈動振幅Ｖｐを振幅検出器３で検出し、脈動振幅Ｖｐに応じてＬＰＦ４のカットオフ周波数ｆｃを変化させることで、脈動振幅Ｖｐと脈動周波数に応じて、補正量を変化させることができる。
【００１４】
また、バイパス通路１６を持つ空気流量測定装置では、脈動振幅が大きくなると（特に、脈動振幅が平均値の４倍以上ある場合）、バイパス通路１６への空気の流入は脈動周波数の増加と伴に減少する。これは、バイパス通路１６内部での空気の粘性が、バイパス通路１６の外部での空気の粘性に比べて大きいために生じる。つまり、脈動振幅が大きくなると、脈動周波数の増加に伴いバイパス通路１６への空気の流入は減少し、空気量検出器２の出力信号Ｖｓｅｎにマイナス誤差が生じる。従って、本発明の空気流量測定装置１を用いることで、脈動振幅Ｖｐが大きい場合に脈動周波数の増加に応じてプラス方向への補正量を増加させることで空気流量測定装置１の脈動誤差を低減することができる。つまり、脈動振幅Ｖｐが小さい場合にはＬＰＦ４のカットオフ周波数ｆｃを高くして補正量を小さくし、脈動振幅Ｖｐが大きい場合にはＬＰＦ４のカットオフ周波数ｆｃを低くして補正量を大きくする。また、この補正量は脈動周波数が高くなるとプラス方向に増加するので、空気量検出器２の脈動誤差を打ち消すことができる。このことにより、空気流量測定装置１の脈動誤差を低減できる。
【００１５】
また、本発明の空気流量測定装置１ではＬＰＦ４の周波数特性を用いて、脈動誤差の脈動周波数依存性を補正するので、脈動状態の変化に対して高速に追従することができる。
【００１６】
従来例ではエンジン回転数を必要としたので、エンジン回転数を容易に得られるエンジン制御ユニット１９に脈動補正をする処理回路を配置する必要があった。一方で、本発明では従来例の様にエンジン回転数を必要としないので、空気流量測定装置１側で脈動補正が可能となり、脈動誤差を補正した精度の高い信号をエンジン制御ユニット１９に送信することが可能である。
【００１７】
また、ＬＰＦ４は複数の周波数信号に対して各周波数のベクトル和を求めるので、高調波の影響による脈動誤差を低減する方向に働く。この為、本発明では脈動に高調波が存在した場合にも脈動誤差を低減できる。
【００１８】
次に，本発明の第２の実施例である空気流量測定装置を図６から図８により説明する。なお，図６は第２の実施例の空気流量測定装置の構成、図７は各部の動作波形、図８は補正量の脈動周波数依存性である。
【００１９】
本実施例の空気流量測定装置２０は測定する空気流量に応じた出力信号Ｖｓｅｎを発生させる空気流量検出器２１と、出力信号Ｖｓｅｎから脈動振幅Ｖｐを検出する振幅検出器２２と、脈動振幅Ｖｐの値に応じてカットオフ周波数の変化するＬＰＦ２３と、ＬＰＦ２３の出力信号Ｖｌｐｆと出力信号Ｖｓｅｎの波形演算をする波形演算器２４と、波形演算器２４の出力を増幅する乗算器２８と、乗算器２８の出力を直流化するＬＰＦ２９と、出力信号ＶｓｅｎとＬＰＦ２９の出力を加算する加算器３０とで構成される。なお、波形演算器２４は減算器２５、２６と条件判定処理２７から構成される。なお、ＬＰＦ２３の構成は第１の実施例で示したＬＰＦ４と同一の構成でカットオフ周波数が脈動振幅Ｖｐに応じて変化する。
【００２０】
次に、図７，８を用い空気流量測定装置１の動作を説明する。空気量検出器２１の出力信号Ｖｓｅｎが図７に示すような脈動波形となる場合、ＬＰＦ２３の出力信号Ｖｌｐｆは出力信号Ｖｓｅｎの周波数とＬＰＦ２３のカットオフ周波数に応じて振幅が減少する。ここで、出力信号Ｖｓｅｎと出力信号Ｖｌｐｆは波形演算器２４により波形演算され、乗算器１８のゲインｋが１の場合には乗算器２８の出力信号は図７に示す様な全波整流の様な波形になる。乗算器２８の出力信号はＬＰＦ２９により直流化され図7に示す波形になる。このＬＰＦ２９の出力信号（補正信号）は加算器３０で空気流量検出器２１の出力信号Ｖｓｅｎと加算され、空気流量測定装置２０の出力信号Ｖｏｕｔを得る。
【００２１】
第２の実施例における空気流量測定装置は第1の実施例における空気流量測定装置と基本的に同じ構成であるが、以下の改良を加えた。第２の実施例における空気流量測定装置では波形演算器２４で全波整流の様な波形を出力させ、ＬＰＦ２９における直流化を容易にした。また、ＬＰＦ２９を設けて補正信号を直流化した。このことで、補正信号の信号帯域を制限した。第1の実施例で採用した様な波形演算器５を採用した場合、補正量が小さい間は問題ないが、ゲインｋを大きくして補正量を大きくした場合には波形演算によるノイズが大きくなる。これに対して、本実施例では補正信号をＬＰＦ２９で直流化するのでノイズの増加を低減できる。
【００２２】
本実施例においても、第1の実施例と同様に補正量は図８に示す様に脈動の周波数とＬＰＦ２３のカットオフ周波数ｆｃで決まり、ＬＰＦ２３のカットオフ周波数ｆｃを高くすると補正量は減り、ＬＰＦ２３のカットオフ周波数ｆｃを低くすると補正量は増加する。つまり、出力信号Ｖｓｅｎから脈動振幅Ｖｐを振幅検出器２２で検出し、脈動振幅Ｖｐに応じてＬＰＦ２３のカットオフ周波数ｆｃを変化させることで、脈動振幅Ｖｐと周波数に応じて、補正量を変化させることができる。また、先に説明したようにバイパス通路を持つ空気流量検出器では、脈動振幅が大きい場合、脈動周波数の増加に伴いマイナス誤差が生じるので、本発明の空気流量測定装置２０を用いることで、脈動周波数に応じて補正量を増加させられるので、空気流量測定装置１の脈動によって生じる脈動誤差を低減することができる。
【００２３】
次に，本発明の第３の実施例である空気流量測定装置を図９から図１１により説明する。なお，図９は第３の実施例の空気流量測定装置の構成、図１０はＬＰＦ４０の周波数特性、図１１は補正量の脈動周波数依存性である。
【００２４】
本実施例の空気流量測定装置３１は測定する空気流量に応じた出力信号Ｖｓｅｎを発生させる空気流量検出器３２と、出力信号Ｖｓｅｎから最大値を検出する最大値検出回路３３と、出力信号Ｖｓｅｎから最小値を検出する最小値検出回路３４と、最大値検出回路３３と最小値検出回路３４の出力の和を求める加算器３５と、加算器３５の出力を１／２にして中央値Ｍｅｄを求める乗算器３７と、最大値検出回路３３と最小値検出回路３４の出力の差を演算して振幅Ａｍｐを求める減算器３６と、中央値Ｍｅｄと振幅Ａｍｐを入力としてカットオフ周波数ｆｃと増幅率Ｇａｉｎとオフセット値Ｏｆｆｓｅｔを出力する２次元マップ３８と、出力信号Ｖｓｅｎの直流成分を除去するＨＰＦ（ハイパスフィルタ）３９と、２次元マップ３８から出力されるカットオフ周波数ｆｃに応じてカットオフ周波数の変化するＬＰＦ４０と、ＬＰＦ４０の出力を全波整流する整流器４１と、ＨＰＦ３９の出力を全波整流する整流器４２と、整流器４１と整流器４２の出力の差を求める減算器４３と、２次元マップ３８から出力される増幅率Ｇａｉｎに応じて増幅率を変化させて減算器４３の出力を増幅する乗算器４４と、乗算器４４の出力を直流化するＬＰＦ４５と、ＬＰＦ４５の出力に２次元マップ３８から出力されるオフセット値Ｏｆｆｓｅｔを加算する加算器４６と、加算器４６の出力を出力信号Ｖｓｅｎに加算し出力信号Ｖｏｕｔを求める加算器４７から構成される。なお、ＬＰＦ４０の構成は第１の実施例で示したＬＰＦ４と同一の構成でカットオフ周波数を２次元マップ３８から出力されるカットオフ周波数ｆｃに応じて変化させることができる。
【００２５】
第３の実施例における空気流量測定装置は第２の実施例における空気流量測定装置と基本的に同じ構造であるが、以下の改良を加えた。第３の実施例における空気流量測定装置では最大値検出回路３３と最小値検出回路３４を設け、これらの出力を演算することで中央値Ｍｅｄと振幅Ａｍｐ求め、中央値Ｍｅｄと振幅Ａｍｐを入力する２次元マップ３８を設けカットオフ周波数ｆｃと増幅率Ｇａｉｎとオフセット値Ｏｆｆｓｅｔを出力した。このことにより、第２の実施例の様に出力信号Ｖｓｅｎの振幅情報だけでは無く中央値Ｍｅｄと振幅Ａｍｐの２種類の情報でＬＰＦ４０のカットオフ周波数を調整できるようにした。また、２次元マップ３８を用いることでより自由に補正量を制御できるようにした。なお、２次元マップ３８の入力は出力信号Ｖｓｅｎの特徴を代表する値であれば良いので、出力信号Ｖｓｅｎの平均値、中央値、振幅、最大値、最小値、最大値と最小値の和、最大値と最小値の差のいずれでも良い。また、本実施例ではＬＰＦ４０のカットオフ周波数だけでは無く、増幅率Ｇａｉｎとオフセット値Ｏｆｆｓｅｔも操作できる様にしてより自由に補正量を制御できるようにした。このことにより空気流量測定装置１の脈動誤差をより低減することができる。
【００２６】
また、脈動による誤差は低周波数ではほとんど生じず、特定の周波数から誤差が増加する傾向がある。これに対応するため本実施例ではＬＰＦ４０とＨＰＦ３９の出力を各々全波整流し、これらの差分を出力する構成にした。ＬＰＦ４０の周波数特性は図１０に示す様に低周波ではゲインが１で所定の周波数を過ぎるとゲインが１から小さくなる。従って、ＨＰＦ３９の出力を全波整流した整流器４２の信号からＬＰＦ４０の出力信号を全波整流した整流器４１の信号の差を減算器４３で求めることで、減算器４３の出力特性は図１１の様な周波数特性になり、低周波では補正量が０で所定の周波数を過ぎると補正量が増加する。このことにより、脈動誤差の周波数特性により近似した周波数特性を実現することができるので、空気流量測定装置３１の脈動誤差をより低減することができる。
【００２７】
また、第２の実施例同様に、高調波が存在した場合にも脈動誤差をより低減できる。
【００２８】
次に，本発明の第４の実施例である空気流量測定装置を図１２から図１５により説明する。なお，図１２は第４の実施例の空気流量測定装置の構成、図１３は脈動判定器４８の構成、図１４は最大値検出器３３と最小検出器３４の出力波形、図１５は各種状態でのＶｓｅｎ−ＶｍａｘおよびＶｓｅｎ−Ｖｍｉｎである。
【００２９】
第４の実施例の空気流量測定装置は第３の実施例のセンサ装置と基本的に同じ構造であるが、以下の改良を加えた。本実施例では脈動判定器４８を付加し、脈動状態で無い時には切替え器４９により補正信号を０にした。
【００３０】
図１３に示すように、脈動判定器４８は、出力信号Ｖｓｅｎと最大値検出器３３の出力Ｖｍａｘの差を求める減算器５０と、減算器５０の出力を一定時間ホールドするホールド回路５１と、ホールド回路５１の出力が所定の値よりも大きいか小さいかを判定する比較器５２と、出力信号Ｖｓｅｎと最小値検出器３４の出力Ｖｍｉｎの差を求める減算器５４と、減算器５４の出力を一定時間ホールドするホールド回路５５と、ホールド回路５５の出力が所定の値よりも大きいか小さいかを判定する比較器５６と、比較器５２と比較器５６の論理和を求める論理和回路５３より構成される。
【００３１】
出力信号Ｖｓｅｎの脈動振幅が変化した場合、図１４に示すように最大値検出器３３および最小値検出器３４の出力は変化する。ここで、最大値検出器３３の立ち上がりは早いが立下りは遅い。これに対して最小値検出器３４の立ち下がりは早いが立ち上がりは遅い。この動作により、出力信号Ｖｓｅｎの振幅変化に対して最大値検出器３３および最小値検出器３４は動作遅延を起こす。この結果、空気流の過渡状態において不必要な信号を出力する恐れが生じる。これを防ぐ為に本実施例では脈動判定器４８を付加し、脈動状態で無い時には切替え器４９により補正信号を０にした。
【００３２】
図１５に各種状態でのＶｓｅｎ−ＶｍａｘおよびＶｓｅｎ−Ｖｍｉｎを示す。脈動状態ではＶｓｅｎ−ＶｍａｘおよびＶｓｅｎ−Ｖｍｉｎ共に大きい。これに対して、過渡状態ではＶｓｅｎ−ＶｍａｘもしくはＶｓｅｎ−Ｖｍｉｎの一方だけが大きくなる。また、定常状態ではＶｓｅｎ−ＶｍａｘおよびＶｓｅｎ−Ｖｍｉｎ共にほぼ０になる。このことを利用して脈動判定器４８では脈動状態を判定する。つまり、Ｖｓｅｎ−ＶｍａｘおよびＶｓｅｎ−Ｖｍｉｎ共に大きい時を脈動状態と判定し、それ以外を脈動状態ではないと判定し、脈動状態で無い時には補正信号を０にすることで、最大値検出器３３および最小値検出器３４の動作遅延によって生じる可能性のある不必要な補正を無くすことができる。
【００３３】
次に，本発明の第５の実施例である空気流量測定装置を図１６により説明する。なお，図１６は第５の実施例の空気流量測定装置の構成である。第５の実施例のセンサ装置は第３の実施例のセンサ装置と基本的に同じ構造であるが、以下の改良を加えた。本実施例では定常状態判定器５４を付加し、定常状態の時には切替え器５６により出力信号Ｖｏｕｔの信号経路にＬＰＦ５５を付加するようにした。定常状態判定器５４は先に示した脈動判定器４８と基本的には同じ構造であるが、図１５に示す様に定常状態ではＶｓｅｎ−ＶｍａｘおよびＶｓｅｎ−Ｖｍｉｎ共にほぼ０になることを利用して定常状態であることを判定している。
【００３４】
本実施例では、定常状態であることを定常状態判定器５４で判定し、定常状態の場合にはＬＰＦ５５を出力信号Ｖｏｕｔの信号経路に付加することで、定常状態における出力信号Ｖｏｕｔのノイズを低減できるようにした。また、過渡状態では定常状態判定器５４は動作しないのでＬＰＦ５５は出力信号Ｖｏｕｔの信号経路に付加されない。この為、過渡状態における応答性を損なわずに定常状態における出力信号Ｖｏｕｔのノイズを低減できる。
【００３５】
次に，本発明の第６の実施例である空気流量測定装置を図１７，１８により説明する。なお，図１７は第６の実施例の空気流量測定装置の構成、図１８は補正量の脈動周波数依存性である。第６の実施例のセンサ装置は第３の実施例のセンサ装置と基本的に同じ構造であるが、以下の改良を加えた。
【００３６】
本実施例では２次ＬＰＦ５７と、１次オールパスフィルタ５８を配置し、２次ＬＰＦ５７と１次オールパスフィルタ５８の出力を波形演算器５９で波形演算した。なお、波形演算器５９は減算器６０，６１と条件判定処理６２で構成される。
【００３７】
２次ＬＰＦ５７のカットオフ周波数と１次オールパスフィルタ５８の時定数を一定の比率で変化させた場合、低周波では２次ＬＰＦ５７の出力波形と１次オールパスフィルタ５８の出力波形は同一になる。この為、図１８に示す様に低周波数での補正量が０で所定の周波数を過ぎると補正量が急激に増加する特性を得ることができる。また、脈動誤差は低周波数ではほとんど生じず、特定の周波数から誤差が増加する傾向があり、本実施例の空気流量測定装置を使用することで、脈動誤差の周波数特性により近似した周波数特性を実現することができるので、空気流量測定装置３１の脈動誤差をより低減することができる。
【００３８】
本発明の各実施形態における変形例を図１９、図２０を用いて説明する。
【００３９】
図１９、図２０に示すように、エンジン制御ユニット１９に各実施例で詳述した脈動補正処理回路６４を配置している。空気流量測定装置６３の流量検出器６５で検出した出力信号Ｖｓｅｎをエンジン制御ユニット１９に入力し、エンジン制御ユニット１９側で脈動補正をしてもよい。
【符号の説明】
【００４０】
１‥空気流量測定装置，２‥空気流量検出器，３‥振幅検出器，
４‥ＬＰＦ（ローパスフィルタ），５‥波形演算器，６‥乗算器，７‥乗算器，
８‥加算器，９‥条件判定処理，１０‥減算器，１１‥乗算器，１２‥加算器、
１３‥遅延素子，１４‥吸気管，１５‥空気流量センサ，１６‥バイパス通路、
１７‥信号処理回路，１８‥流量検出素子，１９‥エンジン制御ユニット、
２０‥空気流量測定装置，２１‥空気流量検出器、２２‥振幅検出器，２３‥ＬＰＦ，
２４‥波形演算器，２５‥減算器，２６‥減算器，２７‥条件判定処理，２８‥乗算器，
２９‥ＬＰＦ、３０‥加算器，３１‥空気流量測定装置、３２‥空気流量検出器，
３３‥最大値検出回路，３４‥最小値検出回路，３５‥加算器，３６‥減算器，
３７‥乗算器，３８‥２次元マップ，３９‥ＨＰＦ（ハイパスフィルタ）、４０‥ＬＰＦ，
４１‥整流器、４２‥整流器，４３‥減算器，４４‥乗算器，４５‥ＬＰＦ，
４６‥加算器，４７‥加算器，４８‥脈動判定器，４９‥切替え器、５０‥減算器，
５１‥ホールド回路、５２‥比較器，５３‥論理和回路，５４‥減算器，５５‥ホールド回路，５６‥比較器，５７‥２次ＬＰＦ，５８‥１次オールパスフィルタ，５９‥波形演算器，６０‥減算器，６１‥減算器，６２‥条件判定処理
【図１】
0006506681.tif 000002
【図２】
0006506681.tif 000003
【図３】
0006506681.tif 000004
【図４】
0006506681.tif 000005
【図５】
0006506681.tif 000006
【図６】
0006506681.tif 000007
【図７】
0006506681.tif 000008
【図８】
0006506681.tif 000009
【図９】
0006506681.tif 000010
【図１０】
0006506681.tif 000011
【図１１】
0006506681.tif 000012
【図１２】
0006506681.tif 000013
【図１３】
0006506681.tif 000014
【図１４】
0006506681.tif 000015
【図１５】
0006506681.tif 000016
【図１６】
0006506681.tif 000017
【図１７】
0006506681.tif 000018
【図１８】
0006506681.tif 000019
【図１９】
0006506681.tif 000020
【図２０】
0006506681.tif 000021